(57)【要約】【課題】対象物の収容効率を高めた収容箱を提供する。【解決手段】収容箱１は、庇部Ａａを備える対象物を収容するものである。収容箱１は、矩形状の底板２の側縁に連設された側板３，４を上方に折り曲げることによって組み立てられる。対向する長手側板４の上縁には、内側に折り返して二重構造とすべく内板６が夫々設けられる。内板６には、切り込みによって上端で内板６に連結されるように形成されるとともに、内側上方に折り返すことにより、対象物Ａの庇部Ａａに下方から先端が当接する支え部９が設けられる。【選択図】図２
2015020793.tif 000002
【特許請求の範囲】
【請求項１】
矩形状の底板の側縁に連設された側板を上方に折り曲げることによって組み立てられ、庇部を備える対象物を収容する収容箱であって、
対向する前記側板の上縁には、内側に折り返して二重構造とすべく内板が夫々設けられ、
前記内板には、切り込みによって上端で前記内板に連結されるように形成されるとともに、内側上方に折り返すことにより、前記庇部に下方から先端が当接する支え部が設けられ、
該支え部は自己の復元力により前記内板から離れる方向に揺動可能であることを特徴とする収容箱。
【請求項２】
請求項１に記載の収容箱であって、
前記支え部の先端縁は、前記内板から折り返される前は、前記内板の下端縁と面一であることを特徴とする収容箱。
【請求項３】
請求項２に記載の収容箱であって、
前記側板及び前記内板に沿って複数の対象物を収容するものであり、
前記支え部は、前記複数の対象物に跨って庇部に下方から先端を当接させるものであり、
前記内板には、前記支え部と連設する谷折り線から上方に向かって切り欠かれ、切り欠かれることによって形成される内側の突片が下端で前記支え部と連設するようにＵ字状の切り込みが設けられ、
前記支え部が折り返されると、前記Ｕ字状の切り込みによって形成され、折り返された前記支え部の下端と連設する前記突片の先端が、前記底板に当接できるように構成されることを特徴とする収容箱。
【請求項４】
請求項１から請求項３の何れか１項に記載の収容箱であって、
前記底板上には、前記内板と平行に配置される仕切り板が設けられ、
該仕切り板には、前記内板の支え部に対向するように位置するとともに、内側上方に折り返すことにより、庇部に下方から先端が当接する支え部が設けられることを特徴とする収容箱。
【発明の詳細な説明】
【技術分野】
【０００１】
本発明は、上面に開口を備え、開口縁部に庇部を備えるトレーなどの物品（対象物）を底板から浮かせた状態で収容する収容箱に関する。
【背景技術】
【０００２】
従来、イチゴやブドウなどの果物を入れたトレーなどを収容する収容箱であって、上面に開口を備えて開口縁部に庇部を備えるトレーなどの物品（対象物）の庇部を側板に設けられた支え部で支えて底板から浮かせた状態で収容する段ボール製の収容箱が知られている（例えば、特許文献１参照）。
【０００３】
特許文献１のものでは、側板を二重構造で構成し、側板の内板に下端で連設された支え部を構成すべくＵ字状の切り込みを設けている。そして、このＵ字状の切り込みにより形成された支え部を内板と連設する下端縁を谷折りするように内方へ折り曲げ、支え部の先端（上端）で対象物の庇部に下方から当接させる。これにより、対象物が底板から浮いた状態で収容箱に収容される。
【０００４】
また、特許文献１の支え部は、内板に形成されたＵ字状の切り込みにより形成されるため、新たな部材を設けることなく、内板を有効活用して支え部を構成している。
【先行技術文献】
【特許文献】
【０００５】
【特許文献１】特開２００５−１５０４６号公報
【特許文献２】実用新案登録第３１２７５２５号公報
【特許文献３】実用新案登録第３１１６６０６号公報
【発明の概要】
【発明が解決しようとする課題】
【０００６】
従来の収容箱では、対象物を収納する際に、対象物を支える突片が内板の切り込み内に戻ってしまう場合があり、対象物を収容箱に収容させるときに面倒である。また、突片は下端縁を山折りにするように内側に折り曲げるものであるため、突片が自己の復元力によって内板側に戻り易い。そして、一度、内板の中に戻った突片は再び内方に戻し難く、また、確実に庇部に下方から当接させるためには、突片の先端が庇部の下方に位置するように指で支える必要があり、面倒である。
【０００７】
本発明は、以上の点に鑑み、収容効率を高めた収容箱を提供することを目的とする。
【課題を解決するための手段】
【０００８】
上記目的を達成するため、本発明は、矩形状の底板の側縁に連設された側板を上方に折り曲げることによって組み立てられ、庇部を備える対象物を収容する収容箱であって、対向する前記側板の上縁には、内側に折り返して二重構造とすべく内板が夫々設けられ、前記内板には、切り込みによって上端で前記内板に連結されるように形成されるとともに、内側上方に折り返すことにより、庇部に下方から先端が当接する支え部が設けられ、該支え部は自己の復元力により前記内板から離れる方向に搖動可能であることを特徴とする。
【０００９】
本発明によれば、下端縁で内板と連設する支え部が、その下端縁を谷折りするようにして内板から上方に向かって内板の内面に重なるようにＶ字状に折り返される。これにより、支え部は、自己の復元力により内板から離れる方向（底板の方向）に移動しようとする。従って、内板と重なるように折り返された支え部は、自己の復元力だけでは内板の中まで戻ることはなく、適切に対象物の庇部に下方から当接させることができ、収容効率を高めることができる。
【００１０】
ここで、支え部としては、上端で内板と連設される支え部を構成すべくＵ字状の切り込みを設けて形成することも考えられる。しかしながら、この場合、支え部を摘み難く、支え部を内板から抜き出して上方へ折り返し難くなる。Ｕ字状の切り込みに対応させて指を差し込める孔部を形成することも考えるが、孔部の形成のために打ち抜かれる部分がゴミとなり、収容箱の製造工程における廃棄物が増加するという問題がある。
【００１１】
この場合、支え部の先端縁を、内板から折り返される前は、内板の下端縁と面一となるように設定すればよい。かかる構成によれば、内板に邪魔されることなく支え部の先端を摘まんで折り返すことができるとともに、製造工程におけるゴミの増加も防止することができる。
【００１２】
また、本発明の収容箱を、側板及び内板に沿って複数の対象物を収納できるように構成する場合、支え部としては、各対象物に対応させて複数の支え部を内板に形成することも考えられる。しかしながら、収容する対象物が多ければ多いほど支え部の数も増加し、支え部を折り返す作業も手間となる。
【００１３】
この場合、支え部を、複数の対象物に跨って庇部に下方から先端を当接させるものとして構成し、内板には、支え部と連設する谷折り線から上方に向かって切り欠かれ、切り欠かれることによって形成される内側の突片が下端で支え部と連設するようにＵ字状の切り込みが設けられ、支え部が折り返されると、Ｕ字状の切り込みによって形成され、折り返された支え部の下端と連設する突片の先端が、底板に当接できるように構成すればよい。
【００１４】
かかる構成によれば、１つの支え部が複数の対象物を支えるため、収容される対象物の数に対して、支え部を折り返す回数が少なくなり、収容箱の組み立て作業が容易となる。また、１つの支え部で複数の対象物を支えると、１つの支え部に加わる対象物の荷重が増加する。しかしながら、本発明では、支え部の下端に連設される突片の下端が底板に当接することにより、支え部がしっかりと複数の対象物を支えることができる。
【００１５】
また、本発明において、底板上に、内板と平行に配置される仕切り板を設ける場合には、仕切り板に、内板の支え部に対向するように位置するとともに、内側上方に折り返すことにより、庇部に下方から先端が当接する支え部を設けることができる。
【図面の簡単な説明】
【００１６】
【図１】本発明の収容箱の実施形態を示す斜視図。
【図２】本実施形態の収容箱を一部拡大して示す断面図。
【図３】本実施形態の収容箱を展開して示す説明図。
【図４】本実施形態の仕切り板を展開して示す説明図。
【図５】本実施形態の内板及び支え部の折り返し方を示す説明図。
【図６】本実施形態の仕切り板の組み立て方法を示す説明図。
【発明を実施するための形態】
【００１７】
図１に示すように、本発明の実施形態の収容箱１は、段ボール製であり、長方形状（矩形状）の底板２と、底板２の四辺の内の対向する短手側の側縁から起立する短手側板３と、底板２の長手側の側縁から起立する長手側板４とを備える。
【００１８】
図２は、本実施形態の収容箱１の展開図を示している。短手側板３の両側縁には、長手側板４の幅の半分以下の長さとなるように設けられた舌片３ａが設けられている。長手側板４の上縁には、段ボールの厚さよりも若干大きく延びる肩部５が連設されている。
【００１９】
肩部５の上縁には、内板６が連設されている。内板６の先端部には、両側端部に位置させて、先端から基端に向かって幅方向内側に次第に湾曲するＪ字状に切り欠かれたＪ字状切込部７が設けられている。Ｊ字状切込部７の基端には、両Ｊ字状切込部７の基端を結ぶように延びる折曲線８が設けられている。２つのＪ字状切込部７と折曲線８とで画成される部分が本実施形態の支え部９となる。
【００２０】
また、内板６には、折曲線８から内板６の肩部５側に向かって半円を描くように切り込まれたＵ字状のＵ字状切込部１０が設けられている。このＵ字状切込部１０によって突片１１が画成される。突片１１は、折曲線８を介することなく支え部９と連設している。これにより、支え部９を折曲線８で内板６の内面に重ねるように折り返すと、突片１１は、折り返す前の支え部９があったところに近づくように回動する。
【００２１】
また、内板６の下端縁の両端部には、下方に突出する係合片１２が連設されている。この係合片１２は、底板２の対応する箇所に設けられた係合孔１３に差し込まれ、内板６が固定される。
【００２２】
収容箱１を組み立てるには、まず、短手側板３を、折目線Ｌ１を介して垂直に起立させる。そして、折目線Ｌ２を介して、舌片３ａを短手側板３に対して直角となるように内側へ折り曲げる。
【００２３】
次に、図３に示すように、長手側板４を、舌片３ａの側面に沿わせるように折目線Ｌ３を介して、垂直に起立させる。そして、折目線Ｌ４を介して、肩部５を内方へ直角に折り曲げる。そして、折目線Ｌ５を介して、内板６を、長手側板４との間で舌片３ａを挟むようにして、下方へ直角に折り曲げる。このとき、係合片１２が係合孔１３に差し込まれ、内板６が固定される。また、長手側板４と内板６とで収容箱１の側板が二重構造となる。
【００２４】
また、内板６を直角に曲げるのと同時に、折曲線８を介して、支え部９を上方に向かって谷折りにするように折り返す。この支え部９の先端に、庇部を備えるトレーなどの対象物Ａの庇部Ａａを当接させて、対象物Ａと底板２との間に空間を形成する。
【００２５】
また、支え部９の下端には、突片１１が連設され、支え部９で対象物Ａを支えると、突片１１の下端が底板２に当接する。これにより、支え部９で対象物Ａをしっかりと支えることができる。
【００２６】
また、図１に示すように、本実施形態の収容箱１には、長手側板４及び内板６と平行に起立する仕切り板１４が設けられている。仕切り板１４は、収容箱１の本体とは、別体で構成されている。仕切り板１４は、内板６と対向するように配置される一対の仕切り板本体１５と、両仕切り板本体１５の上端を連結する連結板１６とを備える。
【００２７】
両仕切り板本体１５には、内板６と同様にして、J字状切込部１７、折曲線１８、支え部１９、Ｕ字状切込部２０、突片２１が設けられている。図３は、仕切り板１４の展開図を示している。
【００２８】
仕切り板１４の組み立て方を具体的に説明すると、まず、連結板１６に対して直角となるように折目線Ｌ６を介して下方に向かって仕切り板本体１５を折り曲げる。そして、仕切り板本体１５に対して、折曲線１８を介して支え部１９を仕切り板本体１５の外面に沿うように折り返す。この支え部１９の先端に、庇部Ａａを備えるトレーなどの対象物Ａの庇部Ａａを当接させて、対象物Ａと底板２との間に空間を形成する。
【００２９】
また、支え部１９の下端には、突片２１が連設され、支え部１９で対象物Ａを支えると、突片２１の下端が底板２に当接する。これにより、支え部１９で対象物Ａをしっかりと支えることができる。
【００３０】
また、各仕切り板本体１５の両端には、差込片１５ａが突設されている。また、短手側板３には、差込片１５ａに対応させて差込孔３ｂが設けられている。仕切り板１４は、差込片１５ａを差込孔３ｂに差し込むことにより収容箱１の本体に固定される。
【００３１】
本実施形態の収容箱１によれば、下端縁で内板６と連設する支え部９が、その下端縁を谷折りするようにして内板６から上方に向かって内板６の内面に重なるようにＶ字状に折り返される。これにより、支え部９は、折曲線８を軸に揺動可能となり、自己の復元力により内板６から離れる方向（底板２の方向）に移動しようとする。
【００３２】
従って、内板６と重なるように折り返された支え部９は、自己の復元力だけでは内板６の中まで戻ることはなく、適切に対象物Ａの庇部Ａａに下方から当接させることができる。そして、支え部９が意図せずに内板６内に戻ることを防止できるため、収容箱１の対象物Ａを収容する効率を高めることができる。
【００３３】
また、支え部９，１９は自己の復元力により、内板６または仕切り板本体１５から離れる方向に移動しようとして、対象物Ａの側壁に当接する。このため、対象物Ａがイチゴやブドウなどの内容物を詰め込むことにより多少膨らんでも、適切に支え部９，１９の先端位置を調節することが可能であり、支え部９，１９の先端を適切に庇部Ａａに当接させることができる。
【００３４】
また、仕切り板１４の支え部１９も、下端縁で仕切り板本体１５と連設し、支え部１９の下端縁を谷折りするようにして仕切り板本体１５から上方に向かって仕切り板本体１５の外面（内板６と対向する側の面）に重なるようにＶ字状に折り返される。これにより、支え部１９は、折曲線１８を軸に揺動可能となり、自己の復元力により仕切り板本体１５から離れる方向（底板２の方向）に移動しようとする。従って、内板６と重なるように折り返された支え部１９は、自己の復元力だけでは仕切り板本体１５の中まで戻ることはなく、適切に対象物Ａの庇部Ａａに下方から当接させることができる。
【００３５】
ここで、支え部としては、上端で内板６と連設される支え部を構成すべくＵ字状の切り込みを設けて形成することも考えられる。しかしながら、この場合、内板６から支え部を摘み難く、支え部を内板６から抜き出して上方へ折り返し難くなる。Ｕ字状の切り込みに対応させて指を差し込める孔部を形成することも考えるが、孔部の形成のために打ち抜かれる部分が新たなゴミとなり、収容箱の製造工程における廃棄物が増加するという問題がある。
【００３６】
そこで、本実施形態の収容箱１においては、支え部９，１９の先端縁を、内板６または仕切り板本体１５から折り返される前は、内板６または仕切り板本体１５の下端縁と面一となるように設定されている。このように構成することにより、内板６または仕切り板本体１５に邪魔されることなく支え部９，１９の先端を摘まんで折り返すことができるとともに、製造工程におけるゴミの増加も防止することができる。
【００３７】
また、本実施形態の収容箱１においては、支え部９，１９を、複数の対象物Ａに跨って庇部Ａａに下方から先端を当接させるものとして構成している。そして、内板６または仕切り板本体１５には、支え部９，１９と連設する谷折り線としての折曲線８，１８から上方に向かって切り欠かれ、切り欠かれることによって形成される内側の突片１１，２１が下端で支え部９，１９と連設するようにＵ字状のＵ字状切込部１０，２０が設けられている。
【００３８】
そして、支え部９，１９は、内板６または仕切り板本体１５に対して折り返されると、Ｕ字状切込部１０，２０によって形成され、折り返された支え部９，１９の下端と連設する突片１１，２１の先端が、底板２に当接する。
【００３９】
このように構成することにより、１つの支え部９，１９が複数の対象物Ａを支えるため、収容される対象物Ａの数に対して、支え部９，１９の数、換言すれば支え部９，１９の折り返し回数を少なくすることができ、収容箱１の組み立て作業が容易となる。また、１つの支え部９，１９で複数の対象物Ａを支えると、１つの支え部９，１９に加わる対象物Ａの荷重が増加する。しかしながら、本実施形態の収容箱１では、支え部９，１９の下端に連設される突片１１，２１の下端が底板２に当接することにより、支え部９，１９がしっかりと複数の対象物Ａを支えることができる。
【００４０】
なお、本実施形態においては、イチゴパックなどのトレーを４つ収容する収容箱１を説明した。しかしながら、本発明の収容箱は、これに限らず、トレーなどの収容する対象物が１つであっても２つ以上の複数であってもよい。
【００４１】
また、本実施形態においては、１つの仕切り板１４を備える２列の収容箱１を説明した。しかしながら、本発明の収容箱は、これに限らず、仕切り板なしの１列の収容箱であってもよく、また、仕切り板を複数備える３列以上の収容箱であってもよい。
【符号の説明】
【００４２】
１  収容箱
２  底板
３  短手側板
３ａ  舌片
３ｂ  差込孔
４  長手側板
５  肩部
６  内板
７  Ｊ字状切込部
８  折曲線
９  支え部
１０  Ｕ字状切込部
１１  突片
１２  係合片
１３  係合孔
１４  仕切り板
１５  仕切り板本体
１５ａ  差込片
１６  連結板
１７  Ｊ字状切込部
１８  折曲線
１９  支え部
２０  Ｕ字状切込部
２１  突片
Ｌ１〜Ｌ６  折目線
Ａ  対象物
Ａａ  庇部
【図１】
2015020793.tif 000003
【図２】
2015020793.tif 000004
【図３】
2015020793.tif 000005
【図４】
2015020793.tif 000006
【図５】
2015020793.tif 000007
【図６】
2015020793.tif 000008